(57)【特許請求の範囲】
【請求項１】
基礎床面上に互いに一定間隔離して配することで、この間隔を縦横に連続する配線溝とする不燃性の床板と、配線溝の床板側面間部分を覆う金属製の配線溝蓋と、配線溝の交差部である略正方形の中央配線溝を覆う金属製の中央配線溝蓋とを、中央配線溝蓋の角部とこの角部に対応する床板の角部並びに配線溝蓋の端部側一辺部を同時に支持する四つの支持脚部を連結帯で連結した支持脚によって基礎床面上に支持した溝構法フリーアクセスフロアにおいて、支持脚は樹脂性のもので構成され、その支持脚部の床板と配線溝蓋とを支持する一部分の裏面には芯金が上方に薄い肉厚の受座を有する状態で挿入されているとともに、連結帯は各支持脚部をＸ形に連結するものを少なくとも有する構造であり、中央配線溝蓋は中央配線溝の寸法よりは大きく設定されており、支持脚部で支持されたときには配線溝蓋の端部に形成された低段部の上に隙間を確保して重合する構造であり、かつ、支持脚部の中央配線溝蓋を受ける部位には係合穴が形成され、中央配線溝蓋に形成された係合突起をこの係合穴に係合する構造であることを特徴とする溝構法フリーアクセスフロア。
【請求項２】
床板側方の配線溝蓋を、低段部を形成しないで突合させた二つの配線溝蓋で構成し、突合個所を芯金が挿入された樹脂製の中間支持脚で支持した請求項１の溝構法フリーアクセスフロア。
【請求項３】
床板と配線溝蓋のそれぞれ辺部に二つ合わせて長孔状の配線取出口となる切欠を各々形成するとともに、支持脚に配線取出口に入ってこれを塞ぐ塞ぎ材を切取り可能に設けた請求項１又は２の溝構法フリーアクセスフロア。
【発明の詳細な説明】
【０００１】
【産業上の利用分野】
本発明は、ＯＡルーム等に敷設されるフリーアクセスフロアに関するものであり、基礎床面上に間に配線溝を確保して床板を敷設し、配線溝を配線溝蓋で覆う溝構法と称されるフリーアクセスフロアに関するものである。
【０００２】
【従来の技術】
溝構法フリーアクセスフロアは、床板下方空間を基本的に配線空間として利用しないため、低床とすることができ、室内空間の高さを最大限にとることができる。従って、リフォーム等の場合には、この溝構法のものが広く利用される。一般に、溝構法フリーアクセスフロアは、床板と、床板間に形成される配線溝を覆う配線溝蓋と、配線溝蓋が集合する個所にできる中央配線溝を覆う中央配線溝蓋と、これらを基礎床面上に支持する支持脚とで構成される（例えば、実開平４−１２９２４９号）。
【０００３】
溝構法フリーアクセスフロアを構築する際に最も留意しなければならないのは、地震等によって床板や配線溝蓋が落下したりしないことである。床板や配線溝蓋が落下すると、緊急時の避難路が確保されなくなったり、その上に設置した高価な機器類が損傷してしまう。特に、溝構法では、床板の他に配線溝蓋等を使用するから、落下には余計気を使わなければならない。多くは、支持脚で床板や配線溝蓋を支持したり、床板で配線溝蓋を支持したりしているにすぎない（前記した先行例もこの構造をとっている）。
【０００４】
【発明が解決しようとする課題】
床板や配線溝蓋の落下で忘れてはならないものに火災によるものがある。火災は人的な原因で起こるから、むしろ、地震等によるものよりも頻度は高い。従来の溝構法フリーアクセスフロアでは、この火災による床板等の落下防止にはあまり留意していない。前記した先行例でもこのことが言え、床板や配線溝蓋は不燃性の金属材で構成することでこれに対処しているが、支持脚については格別な考慮は見られない。何故なら、支持脚は樹脂製のもので製作されていると思われるが、樹脂製のものは火災に遇うと焼失してしまう。従って、これで支持されている床板や配線溝蓋は当然に基礎床面上まで落下する。
【０００５】
これを防ぐには支持脚も不燃性の金属材等で構成することである。支持脚は床板と配線溝蓋とを個別に独立して支持する段部を有するといった複雑な形状をしていることから、これを金属材で製作しようとすると、アルミ等のダイキャストか鋼板等のプレス成形ということになる。しかし、前者では材料費が高くつくし、後者では複雑な形状に対応できず、又、加工費が嵩み、結局、コストの高いものとなる。更に、金属材によるものは重量も重くなって輸送費や保管費が高くなり、この面からもコストを引き上げる。
【０００６】
本発明は、このような課題を解決するものであり、溝構法フリアークセスフロアを構成するすべての物品を不燃性のものにするとともに、この場合もすべてを金属製等にするのではなく、肝心な働きをする部分だけを金属材等で構成し、残りは樹脂製等にして火災に基づく落下防止を図るとともに、併せて低コスト化も可能にしたものである。
【０００７】
【課題を解決するための手段】
以上の課題の下、本発明は、基礎床面上に互いに一定間隔離して配することで、この間隔を縦横に連続する配線溝とする不燃性の床板と、配線溝の床板側面間部分を覆う金属製の配線溝蓋と、配線溝の交差部である略正方形の中央配線溝を覆う金属製の中央配線溝蓋とを、中央配線溝蓋の角部とこの角部に対応する床板の角部並びに配線溝蓋の端部側一辺部を同時に支持する四つの支持脚部を連結帯で連結した支持脚によって基礎床面上に支持した溝構法フリーアクセスフロアにおいて、支持脚は樹脂性のもので構成され、その支持脚部の床板と配線溝蓋とを支持する一部分の裏面には芯金が上方に薄い肉厚の受座を有する状態で挿入されているとともに、連結帯は各支持脚部をＸ形に連結するものを少なくとも有する構造であり、中央配線溝蓋は中央配線溝の寸法よりは大きく設定されており、支持脚部で支持されたときには配線溝蓋の端部に形成された低段部の上に隙間を確保して重合する構造であり、かつ、支持脚部の中央配線溝蓋を受ける部位には係合穴が形成され、中央配線溝蓋に形成された係合突起をこの係合穴に係合する構造であることを特徴とする溝構法フリーアクセスフロアを提供する。
【０００８】
【作用】
以上の手段をとることにより、樹脂製の支持脚がたとえ焼失したとしても、床板と配線溝蓋とを支持している部分には不燃性の芯金が入っているから、この芯金で床板及び配線溝蓋を支持する。又、中央配線溝蓋を支える部分には芯金は挿入されていないが、支持脚が焼失した場合には、その下方に存在している金属製の配線溝蓋で受け持つから、基礎床面上までは落下しない。尚、中央配線溝蓋は支持脚の樹脂部分で直接支持され、配線溝蓋との間には隙間が設けられているが、これは、直接接触を避けて歩行音等を生じさせないためである。一方、以上の手段によると、支持脚はその大部分が樹脂で構成されることになり、低コスト化も同時に可能にしたことになる。
【０００９】
【実施例】
以下、本発明の実施例を図面を参照して説明する。図１は本発明の実施例を示す床板の敷設状態を示す平面図、図２は図１のＡーＡ断面図、図３は図１のＢーＢ断面図であるが、本発明に係る溝構法フリーアクセスフロアは、間に縦横に連続する一定幅の配線溝を確保するようにして配される床板１０と、配線溝を覆う配線溝蓋１２と、配線溝の交差部となる中央配線溝を覆う中央配線溝蓋１４と、これらを基礎床面上に支持する支持脚１６等とからなる。
【００１０】
床板１０は、平面視四角形をしている。但し、四角形単体のものでもよいし、三角形等のものを組み合わせて四角形にしてもよい。基礎床面の不陸を吸収する意味では、三角形のものを組み合わせた方がよいし、四角形のものでは対角線に溝等を入れて可撓性があるものにしておくのが望ましい。次に、床板１０は、金属や無機質の材料で構成して不燃性のものにしておく。火災が発生しても焼失させないためであり、本例では、金属製の上面板１８と下面板２０をかしめて厚みのあるものとしている。
【００１１】
配線溝蓋１２は、前記した配線溝の床板１０側面間部分を覆うもので、不燃材である金属製の板を曲げ加工等して上面部２２と側面部２４とからなる断面コ字形に成形している。この場合、側面部２４の下端は内側に折り曲げて強度アップと配線の傷付き防止を図っている。又、上面部２２には強度を上げるためのビード等２８を適当に設けている。更に、端部には、低段部２６を適当な幅で設けている。この低段部２６の意味については後述する。
【００１２】
中央配線溝蓋１４は、配線溝の交差部をなす略正方形の空間を覆うもので（交差部以外の部分は前記した配線溝蓋１２で覆われる）、不燃材である金属製の板の平板体である。
【００１３】
支持脚１６は、中央配線溝蓋１４の下方に在って、中央配線溝蓋１４の各角部及びこの角部に対応する各床板１０の角部並びに各配線溝蓋１２の端部側両辺部を基礎床面上に支持するものである。中央配線溝蓋１４の下方空間、即ち、支持脚１６の内部であっても配線を通す必要があるから、支持脚１６はこれが可能なものでなければならない。
【００１４】
このため、本例における支持脚１６は、中央配線溝蓋１４の一つの角部と、これに対応する床板１０の一つの角部及び配線溝蓋１２の端部側の一つの辺部を一つの単位として支持する支持脚部３０を四つ連結した構成にしている。即ち、支持脚部３０は平面視略三角形をしており、中央部分に床板１０角部の底面を受ける床板受座３２が、頂部に中央配線蓋１４を受ける中央配線蓋受座３６が、頂部を挟んだ辺部に配線溝蓋１２を受ける配線溝蓋受座３４をそれぞれ形成し、これらで各々を受けるようにしている。尚、本例では、床板受座３２と配線溝蓋受座３４とは同じ高さにしている。このように、中央配線蓋受座３６は、当たりの良い樹脂製部材であるから、配線（ケーブル）の傷付き防止効果がある。又、支持脚部３０は、ボーダー部やフロアダクト等に対応して適宜切り取られて使用されることもある。
【００１５】
この場合、床板受座３２には嵌合突起３８を形成しておき、この嵌合突起３８に床板１０の底面に形成した嵌合孔４０を嵌合することで位置規制するようにしている（図２）。又、頂部側には床板受座３２から起立する起立壁３９を中央垂線と直角に設けておき、これに床板１０の角部の側面（下面板２０）を当ててここでも位置規制している（図３）。
【００１６】
配線溝蓋受座３４の外方には規制壁４２を起立させておき、この規制壁４２に配線溝蓋１２の側面部２４を当てて配線溝蓋１２がずれないようにしている（図２）。尚、この規制壁４２は配線ガードの役目も果たす。更に、中央配線蓋受座３６には嵌合穴４４を形成しておき、これに中央配線溝蓋１４に形成された係合突起４６を係合することで、中央配線溝蓋１４のずれを防いでいる（図３）。
【００１７】
中央配線溝蓋１４を取り囲む四つの支持脚部３０は、床板１０の配置位置を決めて施工を容易にするために各々を連結帯４８で連結している。これら連結帯４８は、基礎床面の不陸に沿うように可撓性のある厚みの薄いもので構成されている。本例では、配線溝を横断する帯４８ａと中央配線溝をＸ形に横切る帯４８ｂの二種類のもので連結している。このうち、帯４８ｂは、配線を引っ張りしたときに配線が支持脚部３０下方にもぐり込むのを防ぐ作用をする。
【００１８】
支持脚１６は、加工性や重量等を考慮して、又、この上に載る床板１０等の緩衝作用も考慮して樹脂製のもので構成している。但し、樹脂製のものは可燃性であるから、少なくとも床板１０と配線溝蓋１２とを支持する部分には金属製の芯金５０を挿入している（図１）。この場合、芯金５０の上部の床板受座３２等の肉厚は薄くしておき、焼失したときの床板１０や配線溝蓋１２の落ち込みを最小限に抑えている（図２）。尚、中央配線蓋１４にも同様なことが言えるが、これについては後述する。
【００１９】
図４は芯金５０を挿入した状態の支持脚部３０の裏面図、図５は図４のＣーＣ断面図、図６は芯金５０の一部断面側面図であるが、支持脚部３０の裏面に長八角形のポケット５２を形成し、この中に同形状の天井部分を閉じた箱型の芯金５０を挿入するのである。この場合、ポケット５２に係合突起５４を形成しておき、芯金５０をこれに係合して簡単には外れないようにしておくのが望ましい（図５）。この係合突起５４の部分はのぞき窓となり、芯金５０の存在を確認できる効果もある。
【００２０】
中央配線溝蓋１４の寸法は、配線溝蓋１２の集合個所に形成される略正方形の中央配線溝の寸法よりも若干大きくしてある。従って、中央配線溝蓋１４は配線溝蓋１２の低段部２６の上に一部重合している構造になるが、このとき、低段部２６の段差は、両者の間に隙間が確保されるように設定してある。接触させると起こる歩行音やガタつきを防止するためである。尚、ここに緩衝材を挿入することも考えられるが、部品点数増加によってコスト高になるから、本発明では、このような方法はとらない。以上の構成により、たとえ、支持脚部３０が焼失したとしても、中央配線溝蓋１４は配線溝蓋１２の低段部２６の上に落下するだけである。
【００２１】
この他、床板１０と配線溝蓋１２の辺の一部には両者が合わさって長孔状の配線取出口５６を形成する切欠５８、６０がそれぞれ形成されており、支持脚部３０に設けられた塞ぎ材６２がこれに入り込んで塞ぐ構成をとっている。配線取出口５６が孔になるのを防ぐためである。塞ぎ材６２は容易に切り取れるようになっており、必要に応じて配線取出口５６を形成する。尚、配線取出口５６を形成する床板１０と配線溝蓋１２の切欠５８、６０のそれぞれ外周は配線傷付き防止のために内側に折り曲げてある。又、この部分の側壁は配線取出しを容易にするために外の部分より短くしてある。
【００２２】
床板１０の寸法がある程度大きくなると、床板１０側方の配線溝を一つの配線溝蓋１２で塞ぐのはガタが生じて無理な場合がある。この場合は、二つ又はそれ以上の配線溝蓋１２を突き合わせ、突合個所を中間支持脚６４で支持する。図７は配線溝蓋１２を中間支持脚６４を用いて二つ接合した状態を示す平面図、図８は図７のＤーＤ断面図であるが、一つの中間支持脚６４で二つの配線溝蓋１２を同時に支持するのである。
【００２３】
中間支持脚６４は、内壁６６と外壁６８との間に水平な受座７０を有する断面略Ｈ形をしたものであり、芯金７２で二つのものを連結している。尚、受座７０の中間には内壁６６と外壁６８とを連結する仕切壁７４も形成されており、配線溝蓋１２はこの内壁６６と仕切壁７４とによって縦横の位置決めがされて受座７０の上に置かれる。外壁６８には床板１０の側面（下面板２０）が当てられて安定が図られる。このとき、外壁６８の上外端はアールに形成されて床板１０を挿入し易くしている（図８）。
【００２４】
中間支持脚６４も加工性等を考慮して樹脂材等で構成するが、その場合は、芯金７２が不燃材となる。芯金７２の上方の受座６６の肉厚も薄くしておき、中間支持脚６４が焼失しても、配線溝蓋１２の落下量が最小になるようにしておくのは前述の支持脚部３０等と同じである。
【００２５】
【発明の効果】
以上、本発明は、床板、配線溝蓋及び中央配線溝蓋はそれぞれ不燃材で構成したものであるから、たとえ、火災が起こっても焼失しない。一方、これらを支持する支持脚は可燃性の樹脂材で構成してはいるが、これには少なくとも床板や配線溝蓋を最小限の落下で受け止める芯金を挿入しているとともに、中央配線溝蓋は配線溝蓋の上に一部重合させているから、火災が起こって支持脚が焼失したとしてもこれらは僅かしか落下せず、その上の機器類は無事であるとともに、避難路も確保できる。
【００２６】
一方、重合させている中央配線溝蓋と配線溝蓋とは間に隙間を確保しているものであるから、歩行音等も出ない。更に、中央配線溝蓋と配線溝蓋とは一々置いて行かなくても床板の敷設はできるから、敷設作業と配線作業を同時にすることができる。
【図面の簡単な説明】
【図１】本発明の実施例を示す床板の敷設状態の平面図である。
【図２】図１のＡーＡ断面図である。
【図３】図１のＢーＢ断面図である。
【図４】本発明の実施例を示す支持脚部の裏面図である。
【図５】図４のＣーＣ拡大断面図である。
【図６】本発明の実施例を示す芯金の一部断面側面図である。
【図７】本発明の実施例を示す中間支持脚の使用状態の平面図である。
【図８】図７のＤーＤ断面図である。
【符号の説明】
１０  床板
１２  配線溝蓋
１４  中央配線溝蓋
１６  支持脚
２６  低段部
３０  支持脚部
４８  連結帯
５０  芯金
５６  配線取出口
５８  切欠
６０  切欠
６２  塞ぎ材
６４  中間支持脚
７２  芯金
【図１】
0003618408.tif 000002
【図２】
0003618408.tif 000003
【図３】
0003618408.tif 000004
【図４】
0003618408.tif 000005
【図５】
0003618408.tif 000006
【図６】
0003618408.tif 000007
【図７】
0003618408.tif 000008
【図８】
0003618408.tif 000009